【手続補正書】
【提出日】令和2年11月10日(2020.11.10)
【手続補正１】
【補正対象書類名】明細書
【補正対象項目名】００１７
【補正方法】変更
【補正の内容】
【００１７】
上記の目的を達成するため、本発明による接続装置は、第１のユニットから第２のユニットに信号を伝送する接続手段を備える接続装置であって、前記接続手段は、前記第１のユニットから前記第２のユニットに信号を伝送する複数の信号導通部と、前記信号導通部が貫通し、可撓性を備える絶縁部と、前記信号導通部が貫通する方向と直交する方向において前記絶縁部を挟み込むように配置されたグランド接続部と、を有し、前記信号導通部の横幅および縦幅をそれぞれＷおよびｔ、前記信号導通部の間のスペースをＳ、前記信号導通部とグランド接続部との距離をｈとして、前記複数の信号導通部の間の差動抵抗値ＺＤＩＦＦが下記の式を満たすことを特徴とする。
【手続補正２】
【補正対象書類名】明細書
【補正対象項目名】００２５
【補正方法】変更
【補正の内容】
【００２５】
撮像部６１は、撮像素子（撮像センサ）６１１ａを有している。図示の例では、撮像センサ６１１ａとしてＣＭＯＳセンサが用いられるが、ＣＣＤ又はＣＩＤなどの撮像デバイスを用いるようにしてもよい。
【手続補正３】
【補正対象書類名】明細書
【補正対象項目名】００２６
【補正方法】変更
【補正の内容】
【００２６】
撮像センサ６１１ａはＣＭＯＳウエハ６１１上に形成されており、当該ＣＭＯＳウエハ６１１は強度部材であるＰＫＧ基板６１３に固定されている。そして、ＣＭＯＳウエハ６１１の前面を覆うようにしてＰＫＧ基板６１３にはカバーガラス６１２が固定されている。
【手続補正４】
【補正対象書類名】明細書
【補正対象項目名】００３９
【補正方法】変更
【補正の内容】
【００３９】
図４は、図３に示す圧接コネクタ７の構成についてその一例を説明するための図である。そして、図４（ａ）は正面図であり、図４（ｂ）側面図である。また、図４（ｃ）は図４（ａ）のＡ―Ａ線に沿った断面図であり、図４（ｄ）は図４（ｃ）に示す断面図において拡大部Ｂを示す図である。さらに、図４（ｅ）は図４（ｃ）に示す断面図において拡大部Ｃを示す図である。
【手続補正５】
【補正対象書類名】明細書
【補正対象項目名】００４８
【補正方法】変更
【補正の内容】
【００４８】
さらに、圧接コネクタ７には、高速伝送信号導通部７１以外の接続用導通部を有するようにしてもよい。例えば、図示の圧接コネクタ７において、圧接コネクタ７の中心部（＝撮影光軸２ａ）を挟んで左右に前述の高速伝送信号導通部７１を配置する。そして、圧接コネクタ７の中心部に電源又は制御信号を接続するための導通部７４を配置する。導通部７４は金めっき真鍮線などで形成され、電流定格に合わせて高速伝送信号導通部７１とは別の線径を選択するようにしてもよい。
【手続補正６】
【補正対象書類名】明細書
【補正対象項目名】００５３
【補正方法】変更
【補正の内容】
【００５３】
図５（ｄ）および図５（ｅ）を参照して、メイン基板５１には、圧接コネクタ位置決ピン７５が係合する圧接コネクタ位置決め穴(穴部)５１３および圧接コネクタ７の回転止め穴５１４が形成されている。圧接コネクタ位置決ピン７５に対して、圧接コネクタ位置決め穴５１３は間隔ｃだけ大きい穴径とされる。これによって、圧接コネクタ位置決ピン７５を圧接コネクタ位置決め穴５１３に挿入した際、間隔ｃだけメイン基板５１に対して圧接コネクタ７の位置が相対的にずれる(相対的位置がずれる)。
【手続補正７】
【補正対象書類名】明細書
【補正対象項目名】００５９
【補正方法】変更
【補正の内容】
【００５９】
後述するように、撮像部６１に配置されたＣＭＯＳウエハ６１１は、ＰＫＧ基板６１３に搭載する際に位置ずれが発生する。このため、撮像センサ保持プレート６２と撮像部６１との間には、Ｘ軸方向に間隔ｅ、Ｙ軸方向に間隔ｄが規定されている。これら間隔ｅおよびｄは、撮影光軸２ａ上に撮影センサ６１１ａ中心を合わせるための調整代としてＰＫＧ基板６１３の外形公差およびＰＫＧ基板６１３に対するＣＭＯＳウエハ６１１の搭載位置ずれ公差以上とされる。
【手続補正８】
【補正対象書類名】明細書
【補正対象項目名】００６１
【補正方法】変更
【補正の内容】
【００６１】
図７（ａ）〜図７（ｃ）を参照して、撮像部６１は、ＣＭＯＳウエハ６１１、カバーガラス６１２、およびＰＫＧ基板６１３を備えている。ＣＭＯＳウエハ６１１には、図１で説明したように、撮像センサ６１１ａを含む回路ブロックが形成されている。ＣＭＯＳウエハ６１１は、モールド又はセラミックなどの材料で構成された絶縁部に金属によってパターニングされた導通部を有するＰＫＧ基板６１３に搭載され、ワイヤーボンディングなどによって接続される。
【手続補正９】
【補正対象書類名】明細書
【補正対象項目名】００６３
【補正方法】変更
【補正の内容】
【００６３】
図７（ｄ）および図７（ｅ）を参照して、ＰＫＧ基板６１３においてＣＭＯＳウエハ６１１搭載面の対向側（背面側）には、金属によってパターニングされた導通性を有するＰＫＧ基板のグランド接続用ランド６１３ｂとＰＫＧ基板の信号接続用ランド６１３ｃとが設けられている。これらのランドは、ＣＭＯＳウエハ６１１と接続されている。圧接コネクタ７がランドに当接すると、組立状態において圧接コネクタ７に対向する面に配されたグランド接続用ランド５１１および信号接続用ランド５１２にＣＭＯＳウエハ６１１が電気的に接続される。
【手続補正１０】
【補正対象書類名】明細書
【補正対象項目名】００６４
【補正方法】変更
【補正の内容】
【００６４】
なお、図７（ｅ）に示すように、ＰＫＧ基板のグランド接続用ランド６１３ｂおよび信号接続用ランド６１３ｃの外形を規定する外形寸法ｇおよびｆは少なくとも、次の式（２）の関係を満たすように設定される。
【手続補正１１】
【補正対象書類名】明細書
【補正対象項目名】００６６
【補正方法】変更
【補正の内容】
【００６６】
式（２）の関係を満たすことによって、上記のランドと圧接コネクタ７とを確実に接続状態に保持することができる。つまり、ＰＫＧ基板６１３にＣＭＯＳウエハ６１１を搭載する際の搭載位置ずれに起因する撮像部６１の撮影光軸２ａに対するずれを、撮像センサ保持プレート６２に対する撮像部６１の搭載位置調整で補正したとする。この場合においても、上記のランドと圧接コネクタ７とを確実に接続状態に保持することができる。
【手続補正１２】
【補正対象書類名】明細書
【補正対象項目名】００６８
【補正方法】変更
【補正の内容】
【００６８】
カメラシャーシ４において、被写体側（前面側）には撮影レンズユニット２（図示せず）を脱着可能に保持するためのレンズマウント３とマウント接点３１が固定されている。カメラシャーシ４において、撮影者側（背面側）には、前述の撮像センサユニット固定ビス穴４１２およびメイン基板ユニット固定ビス穴４１１が形成されている。
【手続補正１３】
【補正対象書類名】明細書
【補正対象項目名】００８１
【補正方法】変更
【補正の内容】
【００８１】
１  カメラ
２  撮影レンズユニット
２２  レンズ制御回路
５２  映像信号処理回路（撮像エンジン）
５６  マイクロコンピュータ（ＭＰＵ）
６１  撮像部
６１１  ＣＭＯＳウエハ
６１１ａ  撮像素子（撮像センサ）
６１２  カバーガラス
６１３  ＰＫＧ基板
【手続補正１４】
【補正対象書類名】特許請求の範囲
【補正対象項目名】全文
【補正方法】変更
【補正の内容】
【特許請求の範囲】
【請求項１】
第１のユニットから第２のユニットに信号を伝送する接続手段を備える接続装置であって、
前記接続手段は、
前記第１のユニットから前記第２のユニットに信号を伝送する複数の信号導通部と、
前記信号導通部が貫通し、可撓性を備える絶縁部と、
前記信号導通部が貫通する方向と直交する方向において前記絶縁部を挟み込むように配置されたグランド接続部と、を有し、
前記信号導通部の横幅および縦幅をそれぞれＷおよびｔ、前記信号導通部の間のスペースをＳ、前記信号導通部とグランド接続部との距離をｈとして、前記複数の信号導通部の間の差動抵抗値ＺＤＩＦＦが下記の式を満たすことを特徴とする接続装置。
【数５】
2019102878.tif 000001
【請求項２】
前記接続手段は、前記第１のユニットと前記第２のユニットとの間に配置される圧接コネクタであることを特徴とする請求項１に記載の接続装置。
【請求項３】
前記圧接コネクタは、前記信号導通部とは別に、前記第１のユニットと前記第２のユニットに電力を供給する電源に対して接続される導通部、および／または、前記第１のユニットと前記第２のユニットとの間で制御信号を伝送するための導通部、を有することを特徴とする請求項２に記載の接続装置。
【請求項４】
第１のユニットと、
第２のユニットと、
前記第１のユニットから前記第２のユニットに信号を伝送する接続装置と、を備える撮像装置であって、
前記接続装置は、
前記第１のユニットから前記第２のユニットに信号を伝送する複数の信号導通部と、
前記信号導通部が貫通し、可撓性を備える絶縁部と、
前記信号導通部が貫通する方向と直交する方向において前記絶縁部を挟み込むように配置されたグランド接続部と、を有し、
前記信号導通部の横幅および縦幅をそれぞれＷおよびｔ、前記信号導通部の間のスペースをＳ、前記信号導通部とグランド接続部との距離をｈとして、前記複数の信号導通部の間の差動抵抗値ＺＤＩＦＦが下記の式を満たすことを特徴とする撮像装置。
【数６】
2019102878.tif 000002
【請求項５】
前記第１のユニットは光学像に応じた映像信号を出力する撮像部を備える第１の基板であり、
前記第２のユニットは前記映像信号に対して所定の画像処理を行う撮像エンジンを備える第２の基板であり、
前記接続装置は、前記第１の基板および前記第２の基板が重畳された状態で、前記第１の基板と前記第２の基板を接続することを特徴とする請求項４に記載の撮像装置。
【請求項６】
前記接続装置は、前記第１の基板および前記第２の基板の間に配置される圧接コネクタであることを特徴とする請求項５に記載の撮像装置。
【請求項７】
前記圧接コネクタは、前記信号導通部とは別に、電源と接続される導通部、又は、制御信号を接続伝送するための導通部を有することを特徴とする請求項６に記載の撮像装置。
【請求項８】
前記撮像装置の本体部に対して前記第１の基板を付勢する付勢部材を備え、
前記付勢部材による力は前記圧接コネクタが圧接された状態の反力よりも大きいことを特徴とする請求項６又は７に記載の撮像装置。
【請求項９】
前記圧接コネクタは、前記圧接コネクタの接触面から突出した固定部材を有し、
前記第２の基板は、前記固定部材と嵌合する穴部を有し、
前記穴部に前記固定部材を嵌合させることにより前記圧接コネクタが前記第２の基板に対して位置決めされていることを特徴とする請求項６又は７に記載の撮像装置。
【請求項１０】
前記第１の基板は、前記圧接コネクタが接続される接続用ランドを有し、
前記接続用ランドの外形寸法は、前記撮像部が備える撮像素子の前記第１の基板に対する搭載位置ずれと、前記第２の基板と前記圧接コネクタとの相対的な位置ずれと、に基づいて決定されることを特徴とする請求項９に記載の撮像装置。